(57)【要約】      （修正有）【課題】エンジンによって生じる排ガスの圧力に基づいて、エンジンがオンであるかオフであるかを決定するためのシステム及び方法を提供する。【解決手段】エミッション試験システム１００は、希釈トンネル１０２と、サンプルプローブ１０４と、試料採取器１１０とを含む。排ガスは、希釈トンネル１０２において希釈ガスで希釈され、サンプルプローブ１０４は、この希釈排ガスの一部を、試料採取器１１０に供給する。排ガス供給ライン圧力における脈動の周波数及び排ガス供給ライン圧力における脈動の大きさのうちの少なくとも１つに基づいて、エンジン１１６がオンであるかオフであるかを決定する。【選択図】図１
2019053059.tif 000002
【特許請求の範囲】
【請求項１】
エンジンから排出物測定システムに排ガスを供給する排ガス供給ライン内の圧力を測定するように構成された圧力センサと、ここで、前記排出物測定システムは、希釈トンネルと、サンプルプローブと、試料採取器とを含み、ここにおいて、前記排ガスは、前記希釈トンネルにおいて希釈ガスで希釈され、前記サンプルプローブは、前記希釈された排ガスの一部を前記試料採取器に供給するものであり、
排ガス供給ライン圧力における脈動の周波数、及び
前記排ガス供給ライン圧力における前記脈動の大きさ
のうちの少なくとも１つに基づいて前記エンジンがオンであるかオフであるかを決定するように構成されたエンジン状態モジュールと、
を備えるシステム。
【請求項２】
前記エンジン状態モジュールは、前記排ガス供給ライン圧力における前記脈動の前記周波数が所定の周波数以上であるとき、前記エンジンがオンであると決定するように構成される、請求項１に記載のシステム。
【請求項３】
前記エンジン状態モジュールは、前記排ガス供給ライン圧力における前記脈動の前記大きさが所定の値以上であるとき、前記エンジンがオンであると決定するように構成される、請求項１に記載のシステム。
【請求項４】
前記エンジン状態モジュールは、前記脈動のうちの１つの脈動の最大値と、同じ脈動か又は同じ脈動の直前又は直後の前記脈動のうちの１つのうちの一方の最小値との差分に基づいて、前記排ガス供給ライン圧力における前記脈動の前記大きさを決定するように構成される、請求項３に記載のシステム。
【請求項５】
前記エンジン状態モジュールは、前記排ガス供給ライン圧力における前記脈動の前記周波数及び前記排ガス供給ライン圧力における前記脈動の前記大きさの両方に基づいて、前記エンジンがオンであるかオフであるかを決定するように構成される、請求項１に記載のシステム。
【請求項６】
前記エンジン状態モジュールは、
所定の周波数以上の周波数を有する前記脈動のうちのＮ個を識別することと、
前記Ｎ個の脈動の前記大きさに基づいて、前記エンジンがオンであるかオフであるかを決定することと、ここにおいて、Ｎは整数である、
を行うように構成される、請求項５に記載のシステム。
【請求項７】
前記エンジン状態モジュールは、前記Ｎ個の脈動の前記大きさの平均値が所定の値以上であるとき、前記エンジンがオンであると決定するように構成され、ここにおいて、Ｎは１より大きい、請求項６に記載のシステム。
【請求項８】
前記圧力センサは、１キロヘルツ以上の周波数で前記排ガス供給ライン圧力を測定するように構成される、請求項１に記載のシステム。
【請求項９】
前記排ガスにおける排出物の濃度を測定するように構成された排出物濃度センサと、
前記測定された排出物濃度と、前記エンジンがオンであるかオフであるかとに基づいて、前記排ガスにおける前記排出物の質量を決定するように構成された排出物質量モジュールと
を更に備える、請求項１に記載のシステム。
【請求項１０】
前記エンジンがオンであるかオフであるかに基づいて、前記希釈トンネルから前記試料採取器への前記希釈排ガスの流れを調節するように弁を制御するように構成された弁制御モジュールを更に備える、請求項１に記載のシステム。
【請求項１１】
エンジンから排出物測定システムに排ガスを供給する排ガス供給ライン内の圧力を測定することと、ここで、前記排出物測定システムは、希釈トンネルと、サンプルプローブと、試料採取器とを含み、ここにおいて、前記排ガスは、前記希釈トンネルにおいて希釈ガスで希釈され、前記サンプルプローブは、前記希釈された排ガスの一部を前記試料採取器に供給するものであり、
排ガス供給ライン圧力における脈動の周波数、及び
前記排ガス供給ライン圧力における前記脈動の大きさ
のうちの少なくとも１つに基づいて、前記エンジンがオンであるかオフであるかを決定することと、
を備える方法。
【請求項１２】
前記排ガス供給ライン圧力における前記脈動の前記周波数が所定の周波数以上であるとき、前記エンジンがオンであると決定することを更に備える、請求項１１に記載の方法。
【請求項１３】
前記排ガス供給ライン圧力における前記脈動の前記大きさが所定の値以上であるとき、前記エンジンがオンであると決定することを更に備える、請求項１１に記載の方法。
【請求項１４】
前記脈動のうちの１つの脈動の最大値と、同じ脈動か又は同じ脈動の直前又は直後の脈動のうちの１つのうちの一方の最小値との差分に基づいて、前記排ガス供給ライン圧力における前記脈動の前記大きさを決定することを更に備える、請求項１３に記載の方法。
【請求項１５】
前記排ガス供給ライン圧力における前記脈動の前記周波数及び前記排ガス供給ライン圧力における前記脈動の前記大きさのうちの両方に基づいて、前記エンジンがオンであるかオフであるかを決定することを更に備える、請求項１１に記載の方法。
【請求項１６】
所定の周波数以上の周波数を有する前記脈動のうちのＮ個を識別することと、
前記Ｎ個の脈動の前記大きさに基づいて、前記エンジンがオンであるかオフであるかを決定することと、ここにおいて、Ｎは整数である、
ことを更に備える、請求項１５に記載の方法。
【請求項１７】
前記Ｎ個の脈動の前記大きさの平均値が所定の値以上であるとき、前記エンジンがオンであると決定することを更に備え、ここにおいて、Ｎは１より大きい、請求項１６に記載の方法。
【請求項１８】
１キロヘルツ以上の周波数で前記排ガス供給ライン圧力を測定することを更に備える、請求項１１に記載の方法。
【請求項１９】
前記排ガスにおける排出物の濃度を測定することと、
前記測定された排出物濃度と、前記エンジンがオンであるかオフであるかとに基づいて、前記排ガスにおける前記排出物の質量を決定することと
ことを更に備える、請求項１１に記載の方法。
【請求項２０】
前記エンジンがオンであるかオフであるかに基づいて、前記希釈トンネルから前記試料採取器への前記希釈排ガスの流れを調節するように弁を制御することを更に備える、請求項１１に記載の方法。
【発明の詳細な説明】
【関連出願への相互参照】
【０００１】
[0001]本願は、２０１７年９月１３日に出願された米国仮出願第６２／５５７，９６８号の利益を主張する。上に挙げた出願の開示全体は、参照により本明細書に組み込まれる。
【技術分野】
【０００２】
[0002]本開示は、エミッション試験システムに関し、より具体的には、エンジンによって生じる排ガスの圧力に基づいて、エンジンがオンであるかオフであるかを決定するためのシステム及び方法に関する。
【背景技術】
【０００３】
[0003]ここに提供される背景技術の説明は、一般に本開示のコンテキストを提示するためのものである。ここに列挙される発明者の研究は、それがこの背景技術セクションで説明される限りにおいて、出願時に先行技術としての資格を別段持たないであろうこの説明の態様は、明確にも又は暗示的にも本開示に対する先行技術と認められるものではない。
【０００４】
[0004]エミッション試験システムは、エンジンによって生じる排ガスを捕集し、排ガスにおける排出物の濃度を測定する。ある期間の間に測定される排出物の濃度に、その期間の間の排ガスの質量流量を乗じて、この排出物の質量流量を求める。次いで、排出物の質量流量に、その期間の持続時間を乗じて、その期間の間にエンジンによって生じる排ガスにおける排出物の全質量を求める。
【０００５】
[0005]定容量採取法（ＣＶＳ）システムは、排ガスの流量を測定することなく排ガスにおける排出物の質量を決定することを可能にする一種のエミッション試験システムであり、これは、排出物質量決定を簡潔にする。ＣＶＳシステムは典型的に、排ガス及び希釈ガスが混合される希釈トンネルと、希釈トンネルから試料採取器に希釈排ガスの一部を向けるサンプルプローブと、希釈トンネルの下流に配置された送風機とを含む。送風機は、希釈トンネルを通して一定量の希釈排ガスを引き込む。故に、排ガス流量は、希釈排ガスの流量から希釈ガスの流量を減算することで決定され得る。
【発明の概要】
【０００６】
[0006]本開示に係るシステムは、圧力センサとエンジン状態モジュールとを含む。圧力センサは、エンジンから排出物測定システムに排ガスを供給する排ガス供給ライン内の圧力を測定するように構成される。排出物測定システムは、希釈トンネルと、サンプルプローブと、試料採取器とを含む。排ガスは、希釈トンネルにおいて希釈ガスで希釈され、サンプルプローブは、この希釈排ガスの一部を試料採取器に供給する。エンジン状態モジュールは、（ｉ）排ガス供給ライン圧力における脈動の周波数及び（ｉｉ）排ガス供給ライン圧力における脈動の大きさのうちの少なくとも１つに基づいて、エンジンがオンであるかオフであるかを決定するように構成される。
【０００７】
[0007]一例では、エンジン状態モジュールは、排ガス供給ライン圧力における脈動の周波数が所定の周波数以上であるとき、エンジンがオンであると決定するように構成される。
【０００８】
[0008]一例では、エンジン状態モジュールは、排ガス供給ライン圧力における脈動の大きさが所定の値以上であるとき、エンジンがオンであると決定するように構成される。
【０００９】
[0009]一例では、エンジン状態モジュールは、脈動のうちの１つの脈動の最大値と、同じ脈動か又は同じ脈動の直前又は直後の脈動のうちの１つのうちの一方の最小値との差分に基づいて、排ガス供給ライン圧力における脈動の大きさを決定するように構成される。
【００１０】
[0010]一例では、エンジン状態モジュールは、排ガス供給ライン圧力における脈動の周波数及び排ガス供給ライン圧力における脈動の大きさの両方に基づいて、エンジンがオンであるかオフであるかを決定するように構成される。
【００１１】
[0011]一例では、エンジン状態モジュールは、所定の周波数以上の周波数を有する脈動のうちのＮ個を識別することと、Ｎ個の脈動の大きさに基づいて、エンジンがオンであるかオフであるかを決定することとを行うように構成され、ここにおいて、Ｎは整数である。
【００１２】
[0012]一例では、エンジン状態モジュールは、Ｎ個の脈動の大きさの平均値が所定の値以上であるとき、エンジンがオンであると決定するように構成され、ここにおいて、Ｎは１より大きい。
【００１３】
[0013]一例では、圧力センサは、１キロヘルツ以上の周波数で排ガス供給ライン圧力を測定するように構成される。
【００１４】
[0014]一例では、システムは、排ガスにおける排出物の濃度を測定するように構成された排出物濃度センサと、測定された排出物濃度と、エンジンがオンであるかオフであるかとに基づいて、排ガスにおける排出物の質量を決定するように構成された排出物質量モジュールとを更に備える。
【００１５】
[0015]一例では、システムは、エンジンがオンであるかオフであるかに基づいて、希釈トンネルから試料採取器への希釈排ガスの流れを調節するように弁を制御するように構成された弁制御モジュールを更に備える。
【００１６】
[0016]本開示に係る方法は、エンジンから排出物測定システムに排ガスを供給する排ガス供給ライン内の圧力を測定することを含む。排出物測定システムは、希釈トンネルと、サンプルプローブと、試料採取器とを含む。排ガスは、希釈トンネルにおいて希釈ガスで希釈され、サンプルプローブは、この希釈排ガスの一部を試料採取器に供給する。方法は、（ｉ）排ガス供給ライン圧力における脈動の周波数及び（ｉｉ）排ガス供給ライン圧力における脈動の大きさのうちの少なくとも１つに基づいて、エンジンがオンであるかオフであるかを決定することを更に含む。
【００１７】
[0017]一例では、本方法は、排ガス供給ライン圧力における脈動の周波数が所定の周波数以上であるとき、エンジンがオンであると決定することを更に含む。
【００１８】
[0018]一例では、本方法は、排ガス供給ライン圧力における脈動の大きさが所定の値以上であるとき、エンジンがオンであると決定することを更に含む。
【００１９】
[0019]一例では、本方法は、脈動のうちの１つの脈動の最大値と、同じ脈動か又は同じ脈動の直前又は直後の脈動のうちの１つのうちの一方の最小値との差分に基づいて、排ガス供給ライン圧力における脈動の大きさを決定することを更に含む。
【００２０】
[0020]一例では、本方法は、排ガス供給ライン圧力における脈動の周波数及び排ガス供給ライン圧力における脈動の大きさの両方に基づいて、エンジンがオンであるかオフであるかを決定することを更に含む。
【００２１】
[0021]一例では、本方法は、所定の周波数以上の周波数を有する脈動のうちのＮ個を識別することと、Ｎ個の脈動の大きさに基づいて、エンジンがオンであるかオフであるかを決定することを更に含み、ここにおいて、Ｎは整数である。
【００２２】
[0022]一例では、本方法は、Ｎ個の脈動の大きさの平均値が所定の値以上であるとき、エンジンがオンであると決定することを更に含み、ここにおいて、Ｎは１より大きい。
【００２３】
[0023]一例では、本方法は、１キロヘルツ以上の周波数で排ガス供給ライン圧力を測定することを更に含む。
【００２４】
[0024]一例では、本方法は、排ガスにおける排出物の濃度を測定することと、測定された排出物濃度と、エンジンがオンであるかオフであるかとに基づいて、排ガスにおける排出物の質量を決定することを更に含む。
【００２５】
[0025]一例では、本方法は、エンジンがオンであるかオフであるかに基づいて、希釈トンネルから試料採取器への希釈排ガスの流れを調節するように弁を制御することを更に含む。
【００２６】
[0026]本開示の適用性の更なる分野は、詳細な説明、特許請求の範囲、及び図面から明らかになるであろう。詳細な説明及び特定の例は、例示だけを目的としたものであり、本開示の範囲を限定することを目的とするものではない。
【００２７】
[0027]本開示は、詳細な説明及び添付の図面からより完全に理解されるであろう。
【図面の簡単な説明】
【００２８】
【図１】[0028]本開示の原理に係る例となるエミッション試験システムの略図。
【図２】[0029]本開示の原理に係るエミッション試験システムを制御するための例となる制御モジュールの機能ブロック図。
【図３】[0030]本開示の原理に係る、エンジンによって生じる排ガスの圧力に基づいて、エンジンがオンであるかオフであるかを決定するための例となる方法を例示するフローチャート。
【図４】[0031]本開示の原理に係る、エンジンがオンであるかオフであるかに基づいて、希釈トンネルから試料採取器への排ガスの流れを制御するための例となる方法を例示するフローチャート。
【図５】[0032]エンジンがオフであるとき及びエンジンがオンであるときの、エンジンによって生じる排ガスの圧力の例を例示するグラフ。
【図６】[0033]エンジンによって生じる排ガスの圧力に基づいて、エンジンがオンであるかオフであるかを決定するために使用される例となる基準を例示するグラフ。
【図７】[0034]本開示の原理に係る、例となる車両速度信号、例となるエンジン速度信号、例となる排気圧力信号、及び例となるエンジンオン／オフ決定信号を例示するグラフ。
【発明の詳細な説明】
【００２９】
[0035]図面では、同様の及び／又は同一の要素を識別するために参照番号は再利用され得る。
【００３０】
[0036]エミッション試験スケジュールは典型的に、時間に対して変化する車両速度を指定する。ハイブリッド車両がこれらのエミッション試験スケジュールを受けるとき、ハイブリッド車両のエンジンは、ハイブリッド車両のモータがこの車両を前進させるために使用される場合、オフにされる。エンジンがオフであるとき、エミッション試験システムの排出物濃度センサによって測定される排出物の濃度は、その時にエンジンによって生じる排ガスにおける排出物の濃度を表すものではないであろう。このような目的で、エンジンがオンであるとき（すなわち、稼働中であるとき）、排ガスは、エンジンから希釈トンネルに流れ、排出物濃度センサは、この排ガスにおける排出物の濃度を測定する。しかしながら、エンジンがオフであるとき（しなわち、稼働中でないとき）、排ガスは、停滞状態となる（すなわち、流れない）、及び／又は、希釈トンネルからエンジンに逆流する。従って、エンジンがオフであるとき、排出物濃度センサは、その時にエンジンによって生じる排ガスの排出物の濃度ではなく、逆流した排ガスにおける排出物の濃度を示し得る。
【００３１】
[0037]加えて、エンジンがオフであるとき、エミッション試験システム中の試料採取器は、希釈ガスだけで満たされる。故に、エミッション試験スケジュール中の拡張された期間の間、エンジンがオフである場合、採取された試料の希釈率は、排出物質量決定の精度に悪影響を及ぼすレベルまで増加され得る。採取された試料の希釈率は、排ガスに対する希釈ガスの比である。
【００３２】
[0038]これらの問題に取り組むために、エミッション試験システムは、エンジンがオンであるかオフであるかを決定し、エンジンがオンであるかオフであるかに基づいて、制御決定及び排出物質量決定を行い得る。例えば、エミッション試験システムは、エンジンがオンであるときには、排出物濃度センサの出力に基づいて、エンジンによって生じる排ガスにおける排出物の濃度を決定し、エンジンがオフであるときには、排出物濃度をゼロに等しく設定し得る。別の例では、エミッション試験システムは、エンジンがオンであるときには、希釈排ガスが希釈トンネルから試料採取器に流れることを許可し、エンジンがオフであるときには、希釈排ガスが希釈トンネルから試料採取器に流れることを防止する。エミッション試験システムは、希釈トンネルから試料採取器への希釈排ガスの流れを、それらの間に配置された弁を開閉することで制御し得る。
【００３３】
[0039]エミッション試験システムは、エンジン速度センサからの入力に基づいて、エンジンがオンであるかオフであるかを決定し得る。しかしながら、車両にエンジン速度センサを装備することは時間がかかりかつ高価であり、エンジン速度センサがエミッション試験システムと通信するためのインターフェースは、開発されていない。エミッション試験システムは、被験車両に搭載の車載診断（ＯＢＤ）システムと通信することで、エンジンがオンであるかオフであるかを決定し得る。しかしながら、ＯＢＤシステムとエミッション試験システムとの間の通信は典型的に遅く、キーオンイベント中に遅延があることがある。
【００３４】
[0040]エミッション試験システムは、被験車両に搭載のエンジン制御モジュールと通信することで、エンジンがオンであるかオフであるかを決定し得る。しかしながら、エンジン制御モジュールと通信するための世界的ソリューションが存在していないため、これは、専有インターフェースを必要とする。エミッション試験システムは、スパークプラグワイヤ又は燃料注入ワイヤにおける電気パルスを検出することで、エンジンがオンであるかオフであるかを決定し得る。しかしながら、これは、アクセスが困難であり得るスパークプラグワイヤ又は燃料注入ワイヤにエミッション試験システムを接続することを必要とした。加えて、エンジンがオンであるかオフであるかを決定するこの方法は、気筒休止のような特定のエンジン制御ストラテジの間、機能しないであろう。
【００３５】
[0041]エミッション試験システムは、エンジンを包含しているエンジンコンパートメント内のサウンドを測定するサウンド計からの入力に基づいて、エンジンがオンであるかオフであるかを決定し得る。しかしながら、エンジンがオンであるかオフであるかをこのように決定することは、複雑な自己学習アルゴリズムを必要とする。加えて、エンジンがオンであるかオフであるかをこのように決定することは、大半のエンジン試験システムに対して十分な信頼性があるわけではないであろう。
【００３６】
[0042]エミッション試験システムは、エンジンから希釈トンネルに延在する排ガス供給ラインを流れる排ガスの測定された圧力の変化に基づいて、エンジンがオンであるかオフであるかを決定し得る。しかしながら、現代のＣＶＳシステムは、排ガス供給ライン内の圧力を比較的一定の値に維持する圧力補償システムを含む。故に、圧力補償システムは、排ガス供給ラインを流れる排ガスの測定された圧力の変化がエンジンのオン又はオフへの切り替えによるものかエンジン負荷の変化によるものかを決定することを困難にする。
【００３７】
[0043]エミッション試験システムは、排ガス供給ラインを通過する排ガスの流量に基づいて、エンジンがオンであるかオフであるかを決定し得る。排ガス流量は、排気流量計を使用して測定され得るか、排ガス流量は、希釈トンネルから流出する希釈排ガスの流量から、希釈トンネルに流入する希釈ガスの流量を減算することで算出され得る。しかしながら、排気流量計が典型的に、理想的な速度（例えば、４〜５立方フィート／分（ｃｆｍ））での排気流ではなく最大排気流（例えば、３００ｃｆｍ）に対してサイズ決めされるため、測定された排気流量に基づいて、エンジンがオンであるかオフであるかを決定することは困難である。加えて、算出された排気流量に基づいて、エンジンがオンであるかオフであるかを決定することは、その排気流量が希釈ガスの流量及び希釈排ガスの流量に対して最小であるため、困難である。
【００３８】
[0044]本開示に係るエミッション試験システムは、エンジンの気筒での燃焼によってもたらされる、エンジンによって生じる排ガスの圧力における脈動の周波数及び／又は大きさに基づいて、エンジンがオンであるかオフであるかを決定する。エミッション試験システムのエンジンから希釈トンネルに延在する排ガス供給ライン内で排ガス圧力が測定される。排ガス圧力は、排ガス圧力における脈動を測定するのに十分高い周波数（例えば、１ｋＨｚ以上）で測定される。
【００３９】
[0045]一例では、エミッション試験システムは、排ガス圧力における脈動の周波数が所定の周波数より高いとき、エンジンがオンであると決定する。別の例では、エミッション試験システムは、排ガス圧力における脈動の大きさが所定の値より大きいとき、エンジンがオンであると決定する。更に別の例では、エミッション試験システムは、所定の周波数より高い周波数を有する、排ガス圧力における脈動を識別し、これらの脈動の大きさの平均値が所定の値より大きいとき、エンジンがオンであると決定する。
【００４０】
[0046]エンジンによって生じる排ガスの圧力における脈動の周波数及び／又は大きさに基づいて、エンジンがオンであるかオフであるかを決定することは、エンジンがオンであるかオフであるかを決定する他の方法より正確な結果をもたらす。加えて、排ガス供給ラインに圧力センサを装備することは、エンジンがオンであるかオフであるかを決定するために使用される他の器具を追加するより容易でありかつ高価でない。更に、排ガス圧力における脈動のパターンは、排ガス供給ラインに沿ったどの位置でも同じであり、これは、排ガス圧力センサの配置の柔軟性を提供する。
【００４１】
[0047]次に図１を参照すると、例となるエミッション試験システム１００は、希釈トンネル１０２、サンプルプローブ１０４、上流送風機１０６、下流送風機１０８、１つ又は複数の試料採取器１１０、１つ又は複数のバックグラウンド採取器１１２、及び／又は排出物分析器１１４を含む。希釈トンネル１０２は、排ガス供給ライン１１８を通して、エンジン１１６によって生じる排ガスを受け取る。排ガス供給ライン１１８は、エンジン１１６から希釈トンネル１０２に排ガスを供給する。
【００４２】
[0048]希釈トンネル１０２はまた、希釈ガス供給ライン１２０を通して希釈ガスを受け取る。上流送風機１０６は、希釈トンネル１０２の上流に配置されており、上流送風機１０６は、希釈ガス供給ライン１２０を通して希釈トンネル１０２に希釈ガスを送る。希釈ガスは、外気であり得、このケースでは、上流送風機１０６は、周辺環境から希釈ガスを引き込み得る。上流送風機１０６は、可変速度送風機であり得、上流送風機１０６の速度は、希釈ガスが希釈トンネル１０２を流れる流量を調整するために調整され得る。追加的に又は代替的に、弁１２２が、希釈ガス供給ライン１２０に配置され得、弁１２２の位置は、希釈トンネル１０２を通る希釈ガスの流量を調整するために調整され得る。
【００４３】
[0049]エンジン１１６からの排ガスは、希釈トンネル１０２において希釈ガスで希釈される。サンプルプローブ１０４は、希釈排ガスの試料を抽出し、試料採取器供給ライン１２４は、希釈排ガス試料をサンプルプローブ１０４から試料採取器１１０に供給する。故に、サンプルプローブ１０４及び試料採取器供給ライン１２４は協力して、希釈排ガス試料を希釈トンネル１０２から試料採取器１１０に供給する。
【００４４】
[0050]弁１２６は、試料採取器供給ライン１２４に配置され得、弁１２６の位置は、希釈排ガス試料が希釈トンネル１０２から抽出される流量を調整するために調整され得る。追加的に又は代替的に、ポンプ１２８は、試料採取器供給ライン１２４に配置され得、ポンプ１２８の速度は、希釈排ガス試料が希釈トンネル１０２から抽出される流量を調整するために調整され得る。一例では、ポンプ１２８は、一定の速度で動作され、弁１２６の位置は、希釈排ガスの抽出率を調整するために調整される。
【００４５】
[0051]サンプルプローブ１０４によって抽出されない希釈排ガスの一部は、希釈トンネル排気ライン１３０を通して希釈トンネル１０２から大気に放出される。弁１３２は、希釈トンネル排気ライン１３０に配置され得、弁１３２の位置は、希釈排ガスが希釈トンネル１０２を流れる流量を調整するために調整され得る。追加的に又は代替的に、下流送風機１０８が希釈トンネル１０２の下流に配置され得、下流送風機１０８の速度は、希釈排ガスが希釈トンネル１０２を流れる流量を調整するために調整され得る。
【００４６】
[0052]様々な実施では、エミッション試験システム１００は、上流送風機１０６及び下流送風機１０８のうちの一方だけを含み得る。上流送風機１０６及び／又は下流送風機１０８は、希釈トンネル１０２を通して一定量の希釈排ガスを強制的に送るように制御され得る。この関連で、エミッション試験システム１００は、ＣＶＳシステムであり得る。
【００４７】
[0053]試料採取器１１０は、サンプルプローブ１０４によって抽出された希釈排ガス試料を採取する。試料採取器１１０は、試料バッグ又は試料フィルタであり得る。試料採取器１１０は、第１の試料採取器１１０−１と第２の試料採取器１１０−２とを含む。試料採取器供給ライン１２４は、それぞれ試料採取器１１０−１及び１１０−２に希釈排ガス試料を供給する第１の供給ライン１２４−１及び第２の供給ライン１２４−２へと分かれている。弁１３４−１は、第１の供給ライン１２４−１に配置され得、弁１３４−１は、第１の試料採取器１１０−１への希釈排ガス試料の流れを許可又は防止するために開閉され得る。同様に、弁１３４−２は、第２の供給ライン１２４−２に配置され得、弁１３４−２は、第２の試料採取器１１０−２への希釈排ガス試料の流れを許可又は防止するために開閉され得る。
【００４８】
[0054]排出物分析器１１４は、試料採取器１１０によって採取された希釈排ガス試料を分析して、それらの中に含まれる排出物の濃度を決定する。排出物分析器１１４は、希釈排ガス試料に含まれる排出物の濃度を示す第１の排出物濃度（ＥＣ１）信号１３５を出力する。希釈排ガス試料は、分析器供給ライン１３６を通して試料採取器１１０から排出物分析器１１４に送られる。分析器供給ライン１３６は、第１の試料採取器１１０−１から延在する第１の供給ライン１３６−１と、第２の試料採取器１１０−２から延在する第２の供給ライン１３６−２とを含む。弁１３８−１は、第１の供給ライン１３６−１に配置され得、弁１３８−１は、排出物分析器１１４への希釈排ガス試料の流れを許可又は防止するために開閉され得る。同様に、弁１３８−２は、第２の供給ライン１３６−２に配置され得、弁１３４−２は、排出物分析器１１４への希釈排ガス試料の流れを許可又は防止するために開閉され得る。
【００４９】
[0055]ポンプ１４０は、分析器供給ライン１３６に配置され得、ポンプ１４０の速度は、希釈排ガス試料が試料採取器１１０から排出物分析器１１４に流れる流量を調整するために調整され得る。追加的に又は代替的に、弁１４２は、分析器供給ライン１３６に配置され得、弁１４２の位置は、希釈排ガス試料が試料採取器１１０から排出物分析器１１４に流れる流量を調整するために調整され得る。一例では、ポンプ１４０は、一定の速度で動作され、弁１４２の位置は、希釈排ガス試料が試料採取器１１０から排出物分析器１１４に流れる流量を調整するために調整され得る。
【００５０】
[0056]バックグラウンド採取器１１２は、希釈ガス供給ライン１２０を流れる希釈ガスの試料を採取する。バックグラウンド採取器供給ライン１４４は、希釈ガス供給ライン１２０からバックグラウンド採取器１１２に希釈ガス試料を供給する。弁１４６は、バックグラウンド採取器供給ライン１４４に配置され得、弁１４６の位置は、希釈ガス試料が希釈ガス供給ライン１２０から抽出される流量を調整するために調整され得る。追加的に又は代替的に、ポンプ１４８は、バックグラウンド採取器供給ライン１４４に配置され得、ポンプ１４８の速度は、希釈ガス試料が希釈ガス供給ライン１２０から抽出される流量を調整するために調整され得る。一例では、ポンプ１４８は、一定の速度で動作され、弁１４６の位置は、希釈ガス試料の抽出率を調整するために調整される。
【００５１】
[0057]バックグラウンド採取器１１２は、バックグランドバック又はバックグラウンドフィルタであり得る。バックグラウンド採取器１１２は、第１のバックグラウンド採取器１１２−１と、第２のバックグラウンド採取器１１２−２とを含む。バックグラウンド採取器供給ライン１４４は、それぞれバックグラウンド採取器１１２−１及び１１２−２に希釈ガス試料を供給する第１の供給ライン１４４−１及び第２の供給ライン１４４−２へと分かれている。弁１５０−１は、第１の供給ライン１４４−１に配置され得、弁１５０−１は、第１のバックグラウンド採取器１１２−１への希釈排ガス試料の流れを許可又は防止するために開閉され得る。同様に、弁１５０−２は、第２の供給ライン１４４−２に配置され得、弁１５０−２は、第２のバックグラウンド採取器１１２−２への希釈排ガス試料の流れを許可又は防止するために開閉され得る。
【００５２】
[0058]希釈ガス試料は、分析器供給ライン１３６を通してバックグラウンド採取器１１２から排出物分析器１１４に送られる。分析器供給ライン１３６は、第１のバックグラウンド採取器１１２−１から延在する第３の供給ライン１３６−３と、第２のバックグラウンド採取器１１２−２から延在する第４の供給ライン１３６−４とを更に含む。弁１５２−１は、第３の供給ライン１３６−３に配置され得、弁１５２−１は、排出物分析器１１４への希釈排ガス試料の流れを許可又は防止するために開閉され得る。同様に、弁１５２−２は、第４の供給ライン１３６−４に配置され得、弁１５２−２は、排出物分析器１１４への希釈排ガス試料の流れを許可又は防止するために開閉され得る。
【００５３】
[0059]排出物分析器１１４は、バックグラウンド採取器１１２によって採取された希釈ガス試料を分析して、それらの中に含まれる排出物の濃度を決定する。排出物分析器１１４は、希釈排ガス試料に含まれる排出物の濃度を決定するとき、希釈ガス試料に含まれる排出物の濃度を考慮し得る。例えば、希釈排ガス試料における希釈ガスの質量が、希釈ガス試料における希釈ガスの質量に等しい場合、排出物分析器１１４は、希釈排ガス試料における排出物の濃度から希釈ガス試料における排出物の濃度を減算して、希釈排ガス試料に含まれる排ガスにおける排出物の濃度を求め得る。希釈ガス試料に含まれる排出物の濃度に基づいて、希釈排ガス試料に含まれる排出物の濃度を決定する代わりに又は決定することに加えて、排出物分析器１１４は、希釈ガス試料に含まれる排出物の濃度を示す第２の排出物濃度（ＥＣ２）信号１５３を出力し得る。
【００５４】
[0060]エミッション試験システム１００は、エミッション試験システム１００の様々なセンサから受け取った信号に基づいて、エミッション試験システム１００の様々な作動装置を制御するエミッション試験システム（ＥＴＳ）制御モジュール１５４を更に含む。エミッション試験システム１００の作動装置は、送風機１０６、１０８と、弁１２２、１２６、１３２、１３４−１、１３４−２、１３８−１、１３８−２、１５０−１、１５０−２、１５２−１、１５２−２と、ポンプ１２８、１４０、１４８とを含む。エミッション試験システム１００のセンサは、排気排出物濃度（ＥＥＣ）センサ１５６と、排気圧力（ＥＸＰ）センサ１５８と、希釈ガス流量計１６０と、希釈排気流量計１６２とを含む。
【００５５】
[0061]ＥＴＳ制御モジュール１５４は、エミッション試験システム１００の作動装置を制御するための様々な制御信号を出力する。ＥＴＳ制御モジュール１５４によって出力される制御信号は、送風機制御信号１６４、１６６と、弁制御信号１６８、１７０、１７２、１７４−１、１７２−４、１７６−１、１７６−２、１７８、１８０、１８２、１８４と、ポンプ制御信号１８６、１８８、１９０とを含む。送風機制御信号１６４、１６６は、それぞれ送風機１０６、１０８のターゲットデューティサイクル又はターゲット速度を示す。弁制御信号１６８、１７０、１７２、１７４−１、１７４−２、１７６−１、１７６−２、１７８、１８０、１８２、１８４は、それぞれ弁１２２、１２６、１３２、１３４−１、１３４−２、１３８−１、１３８−２、１５０−１、１５０−２、１５２−１、１５２−２のターゲット位置を示す。ポンプ制御信号１８６、１８８、１９０は、それぞれポンプ１２８、１４０、１４８のターゲットデューティサイクル又はターゲット速度を示す。明瞭さのために、ＥＴＳ制御モジュール１５４によって出力される制御信号は、それらの対応する作動装置まで延びているため、図１には示されない。しかしながら、ＥＴＳ制御モジュール１５４が、これらの制御信号を、ハードワイヤ又はワイヤレス接続を通してそれらの対応する作動装置に伝えることは理解されるべきである。
【００５６】
[0062]ＥＥＣセンサ１５６は、排ガス供給ライン１１８を流れる排ガスにおける排出物の濃度を測定し、排ガス排出物濃度を示すＥＥＣ信号１９１を出力する。ＥＸＰセンサ１５８は、排ガス供給ライン１１８を流れる排ガスの圧力を測定し、排ガス供給ライン圧力を示すＥＸＰ信号１９３を出力する。ＥＸＰセンサ１５８は、１キロヘルツ以上の周波数で排ガス供給ライン圧力を測定し得る。希釈ガス流量計１６０は、希釈トンネル１０２の上流の位置で希釈ガス供給ライン１２０における希釈ガスの流量を測定し、希釈ガス流量を示す信号１９５を出力する。希釈排気流量計１６２は、希釈トンネル１０２の下流の位置で希釈トンネル排気ライン１３０における希釈排ガスの流量を測定し、希釈排気流量を示す信号１９７を出力する。明瞭さのために、エミッション試験システム１００のセンサによって出力される信号は、ＥＴＳ制御モジュール１５４まで延びているため、図１には示されていない。しかしながら、エミッション試験システム１００のセンサが、これらの信号を、ハードワイヤ又はワイヤレス接続を通してＥＴＳ制御モジュール１５４に伝えることは理解されるべきである。
【００５７】
[0063]ＥＴＳ制御モジュール１５４は、エンジン１１６がオンであるかオフであるかを決定し、エンジン１１６がオンであるかオフであるかに基づいて制御決定及び／又は排出物質量決定定を行う。一例では、ＥＴＳ制御モジュール１５４は、エンジン１１６がオンであるかオフであるかに基づいて、ＥＥＣセンサ１５６によって測定される排ガス排出物濃度を調整又は訂正する。別の例では、ＥＴＳ制御モジュール１５４は、エンジン１１６がオンであるかオフであるかに基づいて、試料採取器１１０への希釈排ガスの流れを許可する又は防止するために、及び、バックグラウンド採取器１１２への希釈ガスの流れを許可又は防止するために、エミッション試験システム１００の様々な作動装置を制御する。ＥＴＳ制御モジュール１５４は、排ガス供給ライン圧力を示すＥＸＰ信号１９３における脈動の大きさ及び／又は周波数に基づいて、エンジン１１６がオンであるかオフであるかを決定する。
【００５８】
[0064]エミッション試験スケジュールの間、ＥＴＳ制御モジュール１５４は、ターゲット流量で希釈トンネル１０２を通して希釈排ガスを強制的に送るように送風機１０６を制御し、及び／又は、ターゲット流量で希釈トンネル１０２を通して希釈排ガスを引き込むように送風機１０８を制御する。加えて、ＥＴＳ制御モジュール１５４は、希釈トンネル１０２から希釈排ガスの試料を抽出するように及びこの希釈排ガスの試料を試料採取器１１０に送るように弁１２６、１３４−１、１３４−２を制御する。更に、ＥＴＳ制御モジュール１５４は、希釈ガス供給ライン１２０から希釈ガスの試料を抽出するように及びこの希釈ガスの試料をバックグランド容器１１２に送るように弁１４６、１５０−１、１５０−２を制御する。ＥＴＳ制御モジュール１５４は、ＥＴＳ制御モジュールが希釈排ガスを試料採取器１１０に向けるとき、希釈ガスをバックグランド容器１１２に向ける。
【００５９】
[0065]エミッション試験スケジュールは、複数の試験段階を含み得る。例えば、米国の環境保護庁（ＥＰＡ）連邦試験手順は、冷間始動段階と、冷間安定化段階と、熱間始動段階とを含む。各試験段階の間、ＥＴＳ制御モジュール１５４は、希釈排ガスを、試料採取器１１０のうちの異なる１つの試料採取器に向け、希釈ガスをバックグラウンド採取器１１２のうちの異なる１つのバックグラウンド採取器に向け得る。故に、エミッション試験スケジュールが２つより多くの試験段階を含み得るため、エミッション試験システム１００は、試料採取器１１０のうちの２つより多くと、バックグラウンド採取器１１２のうちの２つより多くを含み得る。
【００６０】
[0066]希釈排ガスが試料採取器１１０−１に流れることを許可するとき、ＥＴＳ制御モジュール１５４は、弁１２６を少なくとも部分的に開け、弁１３４−１を完全に開ける。試料採取器１１０−１への希釈排ガスの流れを防止するとき、ＥＴＳ制御モジュール１５４は、弁１２６及び／又は弁１３４−１を完全に閉じる。希釈排ガスが試料採取器１１０−２に流れることを許可するとき、ＥＴＳ制御モジュール１５４は、弁１２６を少なくとも部分的に開け、弁１３４−２を完全に開ける。試料採取器１１０−２への希釈排ガスの流れを防止するとき、ＥＴＳ制御モジュール１５４は、弁１２６及び／又は弁１３４−２を完全に閉じる。
【００６１】
[0067]希釈ガスがバックグラウンド採取器１１２−１に流れることを許可するとき、ＥＴＳ制御モジュール１５４は、弁１４６を少なくとも部分的に開け、弁１４４−１を完全に開ける。バックグラウンド採取器１１２−１への希釈ガスの流れを防止するとき、ＥＴＳ制御モジュール１５４は、弁１４６及び／又は弁１４４−１を完全に閉じる。希釈ガスがバックグラウンド採取器１１２−２に流れることを許可するとき、ＥＴＳ制御モジュール１５４は、弁１４６を少なくとも部分的に開け、弁１４４−２を完全に開ける。バックグラウンド採取器１１２−２への希釈ガスの流れを防止するとき、ＥＴＳ制御モジュール１５４は、弁１４６及び／又は弁１４４−２を完全に閉じる。
【００６２】
[0068]様々な実施では、エミッション試験システム１００は、それぞれ試料採取器供給ライン１２４及びバックグラウンド採取器供給ライン１４４から延在する通気管路１９８及び１９９と、それぞれ通気管路１９８及び１９９に配置されている弁１９８−１及び１９９−１とを更に含む。ＥＴＳ制御モジュール１５４は、希釈トンネル１０２から抽出された希釈排ガスを通気させるために弁１９８−１を開け、それによって、弁１３４−１、１３４−２を閉じる代わりに又はそれに加えて、希釈トンネル１０２から試料採取器１１０への希釈排ガスの流れを防止し得る。同様に、ＥＴＳ制御モジュール１５４は、希釈ガス供給ライン１２０から抽出された希釈ガスを通気させるために弁１９９−１を開け、それによって、弁１５０−１、１５０−２を閉じる代わりに又はそれに加えて、希釈ガス供給ライン１２０からバックグラウンド採取器１１２への希釈ガスの流れを防止し得る。
【００６３】
[0069]エミッション試験スケジュールの各試験段階の間、ＥＴＳ制御モジュール１５４は、エンジン１１６がオンであるかオフであるかを決定し、エンジン１１６がオンであるかオフであるかに基づいて、希釈トンネル１０２から試料採取器１１０のうちの１つへの希釈排ガスの流れを許可又は防止する。例えば、冷間始動段階の間、ＥＴＳ制御モジュール１５４は、エンジン１１６がオンであるときには、希釈トンネル１０２から試料採取器１１０−１への希釈排ガスの流れを許可し、エンジン１１６がオフであるときには、希釈トンネル１０２から試料採取器１１０−１への希釈排ガスの流れを防止し得る。次いで、冷間安定化段階の間、ＥＴＳ制御モジュール１５４は、エンジン１１６がオンであるときには、希釈トンネル１０２から試料採取器１１０−２への希釈排ガスの流れを許可し、エンジン１１６がオフであるときには、希釈トンネル１０２から試料採取器１１０−２への希釈排ガスの流れを防止し得る。加えて、ＥＴＳ制御モジュール１５４は、冷間始動段階全体の間、希釈トンネル１０２から試料採取器１１０−２への希釈排ガスの流れを防止し、冷間安定化段階全体の間、希釈トンネル１０２から試料採取器１１０−１への希釈排ガスの流れを防止し得る。
【００６４】
[0070]同様に、エミッション試験スケジュールの各試験段階の間、ＥＴＳ制御モジュール１５４は、エンジン１１６がオンであるかオフであるかに基づいて、希釈ガス供給ライン１２０からからバックグラウンド採取器１１２のうちの１つへの希釈ガスの流れを許可又は防止する。例えば、冷間始動段階の間、ＥＴＳ制御モジュール１５４は、エンジン１１６がオンであるときには、希釈ガス供給ライン１２０からバックグラウンド採取器１１２−１への希釈ガスの流れを許可し、エンジン１１６がオフであるときには、希釈ガス供給ライン１２０からバックグラウンド採取器１１２−１への希釈ガスの流れを防止し得る。次いで、冷間安定化段階の間、ＥＴＳ制御モジュール１５４は、エンジン１１６がオンであるときには、希釈ガス供給ライン１２０からバックグラウンド採取器１１２−２への希釈ガスの流れを許可し、エンジン１１６がオフであるときには、希釈ガス供給ライン１２０からバックグラウンド採取器１１２−２への希釈ガスの流れを防止し得る。加えて、ＥＴＳ制御モジュール１５４は、冷間始動段階全体の間、希釈ガス供給ライン１２０からバックグラウンド採取器１１２−２への希釈ガスの流れを防止し、冷間安定化段階全体の間、希釈ガス供給ライン１２０からバックグラウンド採取器１１２−１への希釈ガスの流れを防止し得る。
【００６５】
[0071]各試験段階の後、ＥＴＳ制御モジュール１５４は、希釈排ガスの試料を試料採取器１１０から排出物分析器１１４に向けるように、弁１３８−１、１３８−２、及び／又は１４２並びにポンプ１４０を制御する。例えば、冷間始動段階の後、ＥＴＳ制御モジュール１５４は、希釈排ガスの試料を試料採取器１１０−１から排出物分析器１１４に向けるために、弁１３８−１及び１４２を完全に開け、ポンプ１４０をアクティブにし得る。同様に、冷間過渡段階の後、ＥＴＳ制御モジュール１５４は、希釈排ガスの試料を試料採取器１１０−２から排出物分析器１１４に向けるために、弁１３８−２及び１４２を完全に開け、ポンプ１４０をアクティブにし得る。
【００６６】
[0072]加えて、各試験段階の後、ＥＴＳ制御モジュール１５４は、希釈ガスの試料をバックグラウンド採取器１１２から排出物分析器１１４に向けるために、弁１５２−１、１５２−２、及び／又は１４２並びにポンプ１４０を制御する。例えば、冷間始動段階の後、ＥＴＳ制御モジュール１５４は、希釈ガスの試料をバックグラウンド採取器１１２−１から排出物分析器１１４に向けるために、弁１５２−１及び１４２を完全に開け、ポンプ１４０をアクティブにし得る。同様に、冷間過渡段階の後、ＥＴＳ制御モジュール１５４は、希釈ガスの試料をバックグラウンド採取器１１２−２から排出物分析器１１４に向けるために、弁１５２−２及び１４２を完全に開け、ポンプ１４０をアクティブにし得る。
【００６７】
[0073]次に図２を参照すると、ＥＴＳ制御モジュール１５４の例となる実施は、排気流量モジュール２０２と、エンジン状態モジュール２０４と、排出物濃度モジュール２０６と、排出物質量モジュール２０８と、弁制御モジュール２１０とを含む。排気流量モジュール２０２は、排ガス供給ライン１１８を流れる排ガスの流量を決定し、それを示す信号２１２を出力する。一例では、排気流量モジュール２０２は、信号１９５によって示される希釈排気流量から信号１９７によって示される希釈ガス流量を減算して、排ガス供給ライン１１８を流れる排ガスの流量を求める。
【００６８】
[0074]様々な実施では、排ガス供給ライン１１８を流れる排ガスの流量は、エンジン制御モジュール（図示せず）から求められ、及び／又は、排気ガス供給ライン１１８においてにおいて直接測定され得る。代替的に、排気流量モジュール２０２は、排気流量を、（ｉ）希釈排気流量計１６２によって測定される排気流量と、（ｉｉ）希釈トンネル排気ライン１３０における排出物（例えば、二酸化炭素）の濃度に対する排ガス供給ライン１１８における同じ排出物の濃度の比との積に等しく設定し得る。この比を決定する前、排気流量モジュール２０２は、希釈トンネル排気ライン１３０における排出物の濃度から希釈ガス供給ライン１２０における排出物の濃度を減算し得る。エミッション試験システム１００は、希釈ガス供給ライン１２０及び／又は希釈トンネル排気ライン１３０における排出物の濃度を測定する１つ又は複数のセンサ（図示せず）を含み得る。代替的に、希釈ガス供給ライン１２０における排出物の濃度は、所定の（例えば、固定の）値であり得る。
【００６９】
[0075]エンジン状態モジュール２０４は、エンジン１１６がオンであるかオフであるかを決定し、それを示す信号２１４を出力する。エンジン状態モジュール２０４は、排ガス供給ライン圧力を示すＥＸＰ信号１９３における脈動の大きさ及び／又は周波数に基づいて、エンジン１１６がオンであるかオフであるかを決定する。一例では、エンジン状態モジュール２０４は、ＥＸＰ信号１９３における脈動の大きさが第１の値より大きいとき、エンジン１１６がオンであると決定する。別の例では、エンジン状態モジュール２０４は、ＥＸＰ信号１９３における脈動の周波数が第１の周波数より大きいとき、エンジン１１６がオンであると決定する。
【００７０】
[0076]第１の周波数は、エンジン１１６の気筒の数とエンジン１１６の理想速度とに基づいて予め定められているであろう。例えば、第１の周波数は、エンジン１１６の気筒の数とエンジン１１６の理想速度との積以下の値に設定され得る。第１の値もまた、予め定められているであろう。例えば、第１の値は、エンジン１１６の気筒における燃焼イベントによりエンジン１１６によって生じる排ガスの圧力の予想変化に設定され得る。
【００７１】
[0077]エンジン状態モジュール２０４は、ＥＸＰ信号１９３における脈動の周波数及び大きさの両方に基づいて、エンジン１１６がオンであるかオフであるかを決定し得る。例えば、エンジン状態モジュール２０４は、第１の周波数以上の周波数（本明細書では、より高い周波数の脈動と呼ばれる）を有するＥＸＰ信号１９３における脈動を識別し、識別された脈動の大きさの平均値を決定し得る。次いで、エンジン状態モジュール２０４は、より高い周波数の脈動の大きさの平均値が第１の値以上であるとき、エンジン１１６がオンであると決定し得る。
【００７２】
[0078]排出物濃度モジュール２０６は、排ガス供給ライン１１８を流れる排ガスにおける排出物の流量加重平均濃度を決定し、それを示す信号２１６を出力する。排出物濃度モジュール２０６は、ＥＥＣセンサ１５６によって測定される排出物濃度と、排気流量モジュール２０２によって決定される排ガス流量との積を決定する。次いで、排出物濃度モジュール２０６は、この積を、試験段階の間に排ガスが排ガス供給ライン１１８を流れる平均流速で除算して、流量加重平均濃度を求める。故に、流量加重平均濃度は、排ガス供給ライン１１８を流れる排ガスにおける排出物の正規化濃度を表す。
【００７３】
[0079]流量加重平均濃度は、試験段階の最後に排出物分析器１１４によって測定されることとなる排出物濃度の近似値又は予測値として使用され得る。故に、排出物分析器１１４は、信号２１６によって示される流量加重平均濃度に基づいて、その排出物濃度測定範囲を調整し得る。様々な実施では、流量加重平均濃度を示すのではなく、信号２１６は、その排出物濃度測定範囲をターゲットと範囲へと調整するよう求める命令を排出物分析器１１４に搬送し得る。流量加重平均濃度に基づいて排出物分析器１１４の排出物濃度測定範囲を調整することは、排出物分析器１１４が排出物濃度を正確に測定することを確実にする。
【００７４】
[0080]排出物濃度モジュール２０６は、ＥＥＣセンサ１５６によって測定される排出物濃度と、エンジン１１６がオンであるかオフであるかとに基づいて流量加重平均濃度を決定する。エンジン１１６がオフであるとき、ＥＥＣセンサ１５６によって測定される排出物濃度は、エンジン１１６によって生じる排ガスにおける排出物の濃度を正確には反映しないであろう。例えば、エンジン１１６がオフであるとき、停滞している（すなわち、流れていない）排ガスが、排ガス供給ライン１１８中に存在し得、及び／又は、排ガスは、希釈トンネル１０２からエンジン１１６に逆流し得る。故に、ＥＥＣセンサ１５６によって出力されるＥＥＣ信号１９１は、その時にエンジン１１６によって生じる排ガスではなく、この停滞している又は逆流する排ガスにおける排出物の濃度を示し得る。従って、エンジン１１６がオフであるとき、排出物濃度モジュール２０６は、ＥＥＣ信号１９１から独立して、流量加重平均濃度を決定し得る。例えば、エンジン１１６がオフであるとき、排出物濃度モジュール２０６は、流量加重平均濃度をゼロに等しく設定し得る。反対に、エンジン１１６がオンであるとき、排出物濃度モジュール２０６は、上で説明したように、ＥＥＣセンサ１５６によって測定される排出物濃度に基づいて、流量加重平均濃度を決定し得る。
【００７５】
[0081]排出物質量モジュール２０８は、エンジン１１６によって生じる排ガスにおける排出物の質量を決定し、それを示す信号２１８を出力する。排出物質量モジュール２０８は、信号２１６によって示される排気排出物濃度と、信号２１２によって示される対応する排気流量とに基づいて排気排出物質量を決定する。例えば、排出物質量モジュール２０８は、排気排出物の質量流量を求めるために、信号２１６によって示される排気排出物濃度と、信号２１２によって示される対応する排気流量との積を決定し得る。次いで、排出物質量モジュール２０８は、この質量流量と、対応する期間との積を決定して、又は、この期間について質量流量を積分して、その期間の間にエンジン１１６によって生じる排ガスにおける排出物の質量を求め得る。
【００７６】
[0082]排出物質量モジュール２０８は、試験段階の間の複数の期間についての排出物質量を決定し、次いで、すべての期間についての排出物質量を合計して、試験段階の全期間についての排出物質量を求め得る。排出物質量モジュール２０８は、エンジン１１６がオンであるかオフであるかに基づいて、各期間についての排出物質量を決定し得る。例えば、エンジン１１６がオンであるとき、排出物質量モジュール２０８は、上で説明した方法で、各期間についての排出物質量を決定し得る。しかしながら、エンジン１１６がオフでるとき、排出物質量モジュール２０８は、各期間についての排出物質量をゼロに等しく設定し得、及び／又は、各期間についての質量流量の積分を停止し得る。
【００７７】
[0083]様々な実施では、エミッション試験システム１００は、排出物分析器１１４によって分析される試料の体積流量を測定する、排出物分析器１１４から上流に（例えば、弁１４２と排出物分析器１１４との間に）配置される流量計（図示せず）を含み得る。これらの実施では、排出物質量モジュール２０８は、排出物分析器１１４によって測定される排出物濃度と、流量計によって測定される体積流量と、試料の密度とに基づいて、試料における排出物の質量を決定し得る。試料の密度は、標準的な温度及び圧力での空気の密度（すなわち、所定の値）に等しいと想定又は測定され得る。一例では、排出物質量モジュール２０８は、試料中の排気排出物の質量流量を求めるために、排出物分析器１１４によって測定される排出物濃度と、流量計によって測定される体積流量と、試料の密度の積を決定する。次いで、排出物質量モジュール２０８は、この質量流量と、対応する期間との積を決定して、又は、この期間について質量流量を積分して、その期間の間に排出物分析器１１４に流入する試料の一部における排出物の質量を求め得る。排出物質量モジュール２０８は、試験段階の間の複数の期間についての決定された排出物質量を合計して、試験段階全体についての排出物質量を求め得る。
【００７８】
[0084]排出物質量モジュール２０８が、排出物分析器１１４によって測定される排出物濃度に基づいて排出物質量を決定すると、排出物質量モジュール２０８は、エンジン１１６がオンであるかオフであるかに基づいて、各期間についての排出物質量を決定し得る。例えば、エンジン１１６がオンであるとき、排出物質量モジュール２０８は、上で説明した方法で排出物分析器１１４によって測定される排出物濃度に基づいて、試験段階の間の各期間についての排出物質量を決定し得る。しかしながら、エンジン１１６がオフであるとき、排出物質量モジュール２０８は、各期間についての排出物質量をゼロに等しく設定し得、及び／又は、各期間についての質量流量の積分を停止し得る。
【００７９】
[0085]排出物質量モジュール２０８は、上で説明した方法で、希釈排ガス試料及び希釈試料の各々における排出物の質量を決定し得る。例えば、排出物質量モジュール２０８は、排出物分析器１１４からのＥＣ１信号１３５と、排出物分析器１１４から上流に配置された流量計によって測定される流量とに基づいて、希釈排ガス試料における排出物の質量を決定し得る。別の例では、排出物質量モジュール２０８は、排出物分析器１１４からのＥＣ２信号１５３と、排出物分析器１１４から上流に配置された流量計によって測定される流量とに基づいて、希釈試料における排出物の質量を決定し得る。次いで、排出物質量モジュール２０８は、希釈排ガス試料における排出物の質量から希釈試料における排出物の質量を減算して、希釈排ガス試料内に含まれる排ガスにおける排出物の質量を求める。
【００８０】
[0086]希釈排ガス試料における排出物の質量又は希釈試料における排出物の質量を決定するとき、排出物質量モジュール２０８は、エンジン１１６がオンであるかオフであるかに基づいて排出物質量を決定し得る。例えば、エンジン１１６がある期間についてオンであるとき、排出物質量モジュール２０８は、上で説明した方法で排出物分析器１１４によって測定される排出物濃度に基づいて、その期間についての排出物質量を決定し得る。しかしながら、エンジン１１６がある期間についてオフであるとき、排出物質量モジュール２０８は、その期間についての排出物質量をゼロに等しく設定し得、及び／又は、その期間についての質量流量の積分を停止し得る。排出物質量モジュール２０８は、試料が排出物分析器１１４に送られる複数の期間についてエンジン１１６がオンであるかオフであるかに基づいて排出物質量を決定し得る。次いで、排出物質量モジュール２０８は、すべての期間についての排出物質量を合計して、希釈排ガス試料における排出物の質量又は希釈試料における排出物の質量を求め得る。
【００８１】
[0087]ＥＥＣセンサ１５６によって測定される排出物濃度に基づいて排出物質量モジュール２０８によって決定される排出物質量は、排出物分析器１１４によって測定される排出物濃度に基づいて排出物質量モジュール２０８によって決定される排出物質量の代わりに又はそれに加えて使用され得る。一例では、ＥＥＣセンサ１５６によって測定される排出物濃度に基づいて排出物質量モジュール２０８によって決定される排出物質量は、排出物分析器１１４によって測定される排出物濃度に基づいて決定される排出物質量の精度をチェックするために使用され得る。別の例では、排出物質量モジュール２０８は、特定の排出物の質量を決定するために使用され得、排出物分析器１１４は、他の排出物の質量を決定するために使用され得る。
【００８２】
[0088]弁制御モジュール２１０は、それぞれ、弁１２２、１２６、１３２、１３４−１、１３４−２、１３８−１、１３８−２、１５０−１、１５０−２、１５２−１、１５２−２を制御するための弁制御信号１６８、１７０、１７２、１７４−１、１７２−４、１７６−１、１７６−２、１７８、１８０、１８２、１８４のうちの１つ又は複数を生成する。弁制御モジュール２１０はまた、弁１９８−１、１９９−１を制御するための制御信号を生成し得る。弁制御モジュール２１０は、図１のＥＴＳ制御モジュール１５４を参照して上で説明した方法で、弁１２２、１２６、１３２、１３４−１、１３４−２、１３８−１、１３８−２、１５０−１、１５０−２、１５２−１、１５２−２、１９８−１、１９９−１を制御する。この関連で、ＥＴＳ制御モジュール１５４が特定の方法で弁１２２、１２６、１３２、１３４−１、１３４−２、１３８−１、１３８−２、１５０−１、１５０−２、１５２−１、１５２−２、１９８−１、１９９−１を制御すると本明細書で説明されているとき、弁制御モジュール２１０がこれらの弁制御動作を実行することは理解されるべきである。
【００８３】
[0089]一例では、弁制御モジュール２１０は、エンジン１１６がオンであるかオフであるかに基づいて、希釈トンネル１０２から試料採取器１１０への希釈排ガスの流れを調節するために弁１２６、１３４−１、及び／又は１３４−２を制御する。エンジン１１６がオフであるとき、弁制御モジュール２１０は、弁１２６、１３４−１、及び１３４−２を閉じ、それによって、希釈トンネル１０２から試料採取器１１０への希釈排ガスの流れを防止する。エンジン１１６がオンであるとき、弁制御モジュール２１０は、弁１２６と、弁１３４−１及び１３４−２のうちの１つとを開け、それによって、希釈トンネル１０２から試料採取器１１０のうちの１つへの希釈排ガスの流れを可能にする。
【００８４】
[0090]別の例では、弁制御モジュール２１０は、エンジン１１６がオンであるかオフであるかに基づいて、希釈ガス供給ライン１２０からバックグラウンド採取器１１２への希釈排ガスの流れを調節するために弁１４６、１５０−１、及び／又は１５０−２を制御する。エンジン１１６がオフであるとき、弁制御モジュール２１０は、弁１４６、１５０−１、及び１５０−２を閉じ、それによって、希釈ガス供給ライン１２０からバックグラウンド採取器１１２への希釈ガスの流れを防止する。エンジン１１６がオンであるとき、弁制御モジュール２１０は、弁１４６と、弁１５０−１及び１５０−２のうちの１つとを開け、それによって、希釈ガス供給ライン１２０からバックグラウンド採取器１１２のうちの１つへの希釈ガスの流れを可能にする。
【００８５】
[0091]次に図３を参照すると、エンジン１１６によって生じる排ガスの圧力に基づいて、エンジン１１６がオンであるかオフであるかを決定するための例となる方法が３０２から開始する。図３の方法は、図２に示されるＥＴＳ制御モジュール１５４の例となる実施に含まれるモジュールのコンテキストにおいて説明される。しかしながら、図３の方法のステップを実行する特定のモジュールは、下に述べるものとは異なり得、及び／又は、図３の方法は、図２のモジュールから離れて実施され得る。
【００８６】
[0092]３０４において、ＥＸＰセンサ１５８は、排ガス供給ライン１１８を流れる排ガスの圧力を測定する。３０６において、エンジン状態モジュール２０４は、排気供給ライン圧力における各脈動の周波数を決定する。３０８において、エンジン状態モジュール２０４は、少なくともＮ個の脈動が、第１の周波数以上の周波数を有するかどうかを決定する。Ｎは、１よりも大きい所定の整数であり得る。少なくともＮ個の脈動が第１の周波数以上の周波数を有する場合、方法は３１０に進む。そうでない場合、方法は３１８に進む。
【００８７】
[0093]３１０において、エンジン状態モジュール２０４は、Ｎ個の脈動の各々の大きさを決定する。換言すると、エンジン状態モジュール２０４は、Ｎ個の脈動のＮ個の大きさを決定する。３１２において、エンジン状態モジュール２０４は、Ｎ個の大きさの平均値を決定する。
【００８８】
[0094]３１４において、エンジン状態モジュール２０４は、Ｎ個の大きさの平均値が第１の値以上であるかどうかを決定する。Ｎ個の大きさの平均値が第１の値以上である場合、方法は３１６に進む。そうでない場合、方法は３１８に進む。
【００８９】
[0095]３１６において、エンジン状態モジュール２０４は、エンジン１１６がオンであると決定する。３１８において、エンジン状態モジュール２０４は、エンジン１１６がオフであると決定する。３１６及び３１８の後、方法は３０４に戻り、引き続き、エンジン１１６がオンであるかオフであるかを決定する。
【００９０】
[0096]次に図４を参照すると、エンジン１１６がオンであるかオフであるかに基づいて、エンジン１１６によって生じる排ガスにおける排出物の濃度を決定することと、エンジン１１６がオンであるかオフであるかに基づいて、希釈トンネル１０２から試料採取器１１０への排ガスの流れを制御こととを行うための例となる方法が４０２から開始する。図４の方法は、図２に示されるＥＴＳ制御モジュール１５４の例となる実施に含まれるモジュールのコンテキストにおいて説明される。しかしながら、図４の方法のステップを実行する特定のモジュールは、下に述べるものとは異なり得、及び／又は、図４の方法は、図２のモジュールから離れて実施され得る。
【００９１】
[0097]４０４において、ＥＥＣセンサ１５６は、排ガス供給ライン１１８を流れる排ガスにおける排出物の濃度を測定する。４０６において、エンジン状態モジュール２０４は、例えば、図３の方法を使用して、エンジン１１６がオンであるかどうかを決定する。エンジン１１６がオンである場合、方法は４０８に進む。そうでない場合、方法は４１０に進む。
【００９２】
[0098]４０８において、排出物濃度モジュール２０６は、排気排出物濃度を、ＥＥＣセンサ１５６によって測定される排出物濃度に等しく設定する。４１２において、弁制御モジュール２１０は、希釈トンネル１０２から試料採取器１１０への希釈排ガスの流れを許可するために弁１２６、１３４−１、及び／又は１３４−２を開ける。４１２の後、方法は４０４に戻る。
【００９３】
[0099]４１０において、排出物濃度モジュール２０６は、排気排出物濃度をゼロに等しく設定する。４１４において、弁制御モジュール２１０は、希釈トンネル１０２から試料採取器１１０への希釈排ガスの流れを防止するために弁１２６、１３４−１、及び／又は１３４−２を閉じる。４１４の後、方法は４０４に戻る。
【００９４】
[0100]次に図５を参照すると、エンジン１１６がオフからオンに切り替えられたときの排ガス供給ライン１１８を流れる排ガスの圧力の例が５０２に例示される。排ガス供給ライン圧力５０２は、時間を表すｘ軸５０４と、圧力を表すｙ軸５０６とに対して描かれている。５０８において、エンジン１１６は、オフからオンに切り替えられる。
【００９５】
[0101]排ガス供給ライン圧力５０２は、低周波数成分５１０及び高周波数成分５１２の両方を含む。図５では、低周波数成分５１０及び高周波数成分５１２は、例示の目的で示される。しかしながら、実際には、低周波数成分５１０及び高周波数成分５１２は、別々には測定されることができず、信号フィルタリングを通してのみ得られ得る。
【００９６】
[0102]エンジン１１６がオフからオンに切り替えられると、排ガス供給ライン圧力５０２は、エンジン１１６の気筒内の燃焼イベントにより複数の脈動５１４を経験する。脈動５１４は、排ガス供給ライン圧力５０２の高周波数成分５１２に相当するか、それを備える。エンジン状態モジュール２０４は、上で説明したように、脈動５１４の大きさ及び／又は周波数を決定し、脈動５１４の大きさ及び／又は周波数に基づいて、エンジン１１６がオンであるかオフであるかを決定する。
【００９７】
[0103]次に図６を参照すると、排ガス供給ライン圧力における脈動６０２の例が、時間を表すｘ軸６０４と、圧力を表すｙ軸６０６とに対して描かれている。脈動６０２は、最大振幅６０８と、波の周期６１０とを有し得る。最大振幅６０８は、脈動６０２の最大値６１２と、脈動６０２の最小値６１４との差分である。エンジン状態モジュール２０４は、脈動６０２の周波数を得るために、波の周期６１０の逆を決定し得る。エンジン状態モジュール２０４は、脈動６０２の大きさを最大振幅６０８に等しく設定し得る。代替的に、エンジン状態モジュール２０４は、脈動６０２の大きさを、最大値６１２と、脈動６０２の直後又は直前の脈動の最小値との差分に等しく設定し得る。代替的に、エンジン状態モジュール２０４は、脈動６０２の大きさを、最小値６１４と、脈動６０２の直後又は直前の脈動の最大値との差分に等しく設定し得る。
【００９８】
[0104]次に図７を参照すると、環境保護庁（ＥＰＡ）ＵＳ０６試験サイクルにわたる車両速度信号７０２、エンジン速度信号７０４、排気圧力信号７０６、及びエンジンオン／オフ決定信号７０８の例が示される。エンジンオン／オフ決定信号７０８は、ミリ秒で時間を表すｘ軸７１０と、エンジン状態を表すｙ軸７１２とに対して描かれており、ここで、ｙ軸７１２上の値０は、エンジン１１６がオフであることを示し、ｙ軸７１２上の値１は、エンジン１１６がオンであることを示す。排気圧力信号７０６は、ｘ軸７１０と、ミリバール（ｍｂａｒ）で圧力を表すｙ軸７１４とに対して描かれている。エンジン速度信号７０４は、ｘ軸７１０と、１分間当たりの回転数（ｒｐｍ）でエンジン速度を表すｙ軸７１６とに対して描かれている。車両速度信号７０２は、ｘ軸７１０と、１時間あたりのキロメートル（ｋｐｈ）で車両速度を表すｙ軸７１８とに対して描かれている。
【００９９】
[0105]エンジンオン／オフ決定信号７０８は、本開示の教示に従って、エンジン１１６がオンであるかオフであるかの決定の結果を示す。排気圧力信号７０６は、ｘ軸７１０によって表される期間の間に排ガス供給ライン１１８を流れる排ガスの圧力を示す。エンジン速度信号７０４は、ｘ軸７１０によって表される期間の間のエンジン１１６の速度を示す。車両速度信号７０２は、エンジン１１６によって前進させられる車両の速度を示す。
【０１００】
[0106]エンジンオン／オフ決定信号７０８は、排ガス供給ライン圧力に基づいてエンジン１１６がオンであるかオフであるかを決定するための本開示の技法を使用して、排気圧力信号７０６に基づいて生成される。エンジン速度信号７０４は、それらの技法が有効であることを示す。このような目的で、エンジンオン／オフ決定信号７０８は、エンジン１１６の速度がゼロより大きいことをエンジン速度信号７０４が示すとき、エンジン１１６がオンであることを示す。反対に、エンジンオン／オフ決定信号７０８は、エンジンの速度がゼロに等しいことをエンジン速度信号７０４が示すとき、エンジン１１６がオフであることを示す。
【０１０１】
[0107]エンジン速度信号７０４とは対照的に、車両速度信号７０２は、エンジン１１６がオフであることをエンジンオン／オフ決定信号７０８が示すときには、車両速度がゼロより大きいことを示す。しかしながら、これは、排ガス供給ライン圧力に基づいてエンジン１１６がオンであるかオフであるかを決定するための本開示の技法の有効性に何の関係もない。このような目的で、この車両は、時々電子モータだけによって前進させられることができるハイブリッド車両である。故に、エンジン１１６は、車両が電子モータだけによって前進させられるときには、車両速度がゼロより大きいときにオフであり得る。
【０１０２】
[0108]先の説明は、事実上単なる実例であり、本開示、その適用例、又は用途を限定するように意図されることは断じてない。本開示の幅広い教示は、様々な形式で実施されることができる。従って、本開示は特定の例を含むが、図面、明細書、及び続く特許請求の範囲の研究から他の修正例が明らかとなるため、本開示の真の範囲はそれに限定されるべきではない。方法内の１つ又は複数のステップが、本開示の原理を変更することなく異なる順序で（又は同時に）実行され得ることは理解されるべきである。更に、実施形態の各々は、特定の特徴を有するものとして上で説明されたが、本開示の任意の実施形態を参照して説明されたこれらの特徴のうちの任意の１つ又は複数は、これら他の実施形態のうちの任意の実施形態の特徴において実施されること及び／又はそれらと組み合わせられることが、その組合せが明示的に説明されていない場合であっても、可能である。換言すると、説明された実施形態は、相互排他的ではなく、１つ又は複数の実施形態の互いとの並べ替えは、本開示の範囲内である。
【０１０３】
[0109]要素間の（例えば、モジュール、回路要素、半導体レイヤ、ＥＴＳ間の）空間的及び機能的な関係は、「〜に接続された」、「〜に関与する」、「〜に結合された」、「隣接した」、「〜の隣にある」、「〜の上の」、「〜より上」、「〜より下」、及び「配置された」を含む様々な用語を使用して説明される。第１の要素と第２の要素との関係が上の開示で説明されるとき、「直接」であることが明示的に説明されない限り、その関係は、第１の要素と第２の要素との間に他の介在要素が存在しない直接関係であり得るが、それはまた、第１の要素と第２の要素との間に（空間的に又は機能的に）１つ又は複数の介在要素が存在する間接的な関係であり得る。本明細書で使用される場合、Ａ、Ｂ、及びＣのうちの少なくとも１つ、という表現は、非排他的な論理ＯＲを使用して、論理（Ａ ＯＲ Ｂ ＯＲ Ｃ）を意味すると解釈されるべきではなく、「Ａのうちの少なくとも１つ、Ｂのうちの少なくとも１つ、及びＣのうちの少なくとも１つ」を意味すると解釈されるべきでない。
【０１０４】
[0110]これら図では、矢尻によって示される矢印の方向は、一般に、例示に関する（データ又は命令のような）情報の流れを明示している。例えば、要素Ａ及び要素Ｂが様々な情報を交換するが、要素Ａから要素Ｂに送信される情報が例示に関連しているとき、矢印は、要素Ａから要素Ｂを指し得る。この両矢印は、他の情報が要素Ｂから要素Ａに送信されないことを暗示するものではない。更に、要素Ａから要素Ｂに送られる情報の場合、要素Ｂは、情報を求める要求又は情報の受信確認応答を要素Ａに送り得る。
【０１０５】
[0111]以下の定義を含む本願では、「モジュール」という用語又は「コントローラ」という用語は、「回路」という用語と置き換えられ得る。「モジュール」という用語は、特定用途向け集積回路（ＡＳＩＣ）、デジタル、アナログ、又はアナログ／デジタル混合ディスクリート回路、デジタル、アナログ、又はアナログ／デジタル混合集積回路、組合せの論理回路、フィールドプログラマブルゲートアレイ（ＦＰＧＡ）、コードを実行する（共有、専用、又はグループ）プロセッサ回路、プロセッサ回路によって実行されるコードを記憶する（共有、専用、又はグループ）メモリ回路、説明した機能を提供する他の適切なハードウェア構成要素、又は、例えば、システムオンチップにあるような上記のうちのいくつか又はすべての組合せ、を指すか、それらの一部であるか、又はそれらを含み得る。
【０１０６】
[0112]モジュールは、１つ又は複数のインターフェース回路を含み得る。いくつかの例では、インターフェース回路は、ワイヤレスローカルエリアネットワーク（ＬＡＮ）、インターネット、広域ネットワーク（ＷＡＮ）、又はそれらの組合せに接続されるワイヤード又はワイヤレスインターフェースを含み得る。本開示の任意の所与のモジュールの機能性は、インターフェース回路を介して接続されている複数のモジュールの間で分散され得る。例えば、複数のモジュールは、負荷平衡化を可能し得る。更なる例では、（リモート又はクラウドとしても知られている）サーバモジュールは、クライアントモジュールの代わりに、何らかの機能性を達成し得る。
【０１０７】
[0113]コードという用語は、上で使用される場合、ソフトウェア、ファームウェア、及び／又はマイクロコードを含み得、プログラム、ルーチン、機能、クラス、データ構造、及び／又はオブジェクトを指し得る。共有プロセッサ回路という用語は、複数のモジュールからのいくつか又はすべてのコードを実行する単一のプロセッサ回路を包含する。グループプロセッサ回路という用語は、追加のプロセッサ回路と組み合わせて、１つ又は複数のモジュールからのいくつか又はすべてのコードを実行するプロセッサ回路を包含する。複数のプロセッサ回路への参照は、ディスクリートダイ上の複数のプロセッサ回路、単一のダイ上の複数のプロセッサ回路、単一のプロセッサ回路の複数のコア、単一のプロセッサ回路の複数のスレッド、又は上記の組合せを包含する。共有メモリ回路という用語は、複数のモジュールからのいくつか又はすべてのコードを記憶する単一のメモリ回路を包含する。グループメモリ回路という用語は、追加のメモリと組み合わせて、１つ又は複数のモジュールからのいくつか又はすべてのコードを記憶するメモリ回路を包含する。
【０１０８】
[0114]メモリ回路という用語は、コンピュータ読取可能な媒体という用語のサブセットである。コンピュータ読取可能な媒体という用語は、本明細書で使用される場合、媒体を通して（例えば、搬送波上で）伝播する一時的な電気又は電磁気信号を包含せず、従って、コンピュータ読取可能な媒体という用語は、有形かつ非一時的であるとみなされ得る。非一時的な有形のコンピュータ読取可能な媒体の非限定的な例は、（フラッシュメモリ回路、消去可能なプログラマブル読取専用メモリ回路、又はマスク読取専用メモリ回路のような）不揮発性メモリ回路、（静的ランダムアクセスメモリ回路又は動的ランダムアクセスメモリ回路のような）揮発性メモリ回路、（アナログ又はデジタル磁気テープ又はハードディスクドライブのような）磁気記憶媒体、及び（ＣＤ、ＤＶＤ、ブルーレイディスクのような）光記憶媒体である。
【０１０９】
[0115]本願で説明される装置及び方法は、コンピュータプログラムにおいて具現化される１つ又は複数の特定の機能を実行するように汎用コンピュータを構成することで作られる専用コンピュータによって部分的又は完全に実施され得る。機能ブロック、フローチャート構成要素、及び上で説明した他の要素は、当業者又はプログラマの日常業務によってコンピュータプログラムへと変換されることができる、ソフトウェア仕様書としての役割を果たす。
【０１１０】
[0116]コンピュータプログラムは、少なくとも１つの非一時的な有形のコンピュータ読取可能な媒体に記憶されるプロセッサ実行可能な命令を含む。コンピュータプログラムはまた、記憶されたデータを含むかそれに依存し得る。コンピュータプログラムは、専用コンピュータ、のハードウェアと相互作用する基本入力／出力システム（ＢＩＯＳ）、専用コンピュータの特定のデバイスと相互作用するデバイスドライバ、１つ又は複数のオペレーティングシステム、ユーザアプリケーション、バックグラウンドサービス、バックグラウンドアプリケーション、ＥＴＳを包含し得る。
【０１１１】
[0117]コンピュータプログラムは、（ｉ）ＨＴＭＬ（hypertext markup language）、ＸＭＬ（extensible markup language）、又はＪＳＯＮ（JavaScript（登録商標） Object Notation）のような、解釈されることなる記述文、（ｉｉ）アセンブリコード、（ｉｉｉ）コンパイラによってソースコードから生成されるオブジェクトコード、（ｉｖ）インタープリタによる実行用のソースコード、（ｖ）実行時コンパイラによるコンパイル及び実行用のソースコード、ＥＴＳを含み得る。単なる例として、ソースコードは、Ｃ、Ｃ＋＋、Ｃ＃、Ｏｂｊｅｃｔｉｖｅ−Ｃ、Ｓｗｉｆｔ、Ｈａｓｋｅｌｌ、Ｇｏ、ＳＱＬ、Ｒ、Ｌｉｓｐ、Ｊａｖａ（登録商標）、Ｆｏｒｔｒａｎ、Ｐｅｒｌ、Ｐａｓｃａｌ、Ｃｕｒｌ、ＯＣａｍｌ、Ｊａｖａｓｃｒｉｐｔ（登録商標）、ＨＴＭＬ５（Hypertext Markup Language 5th revision）、Ａｄａ、ＡＳＰ（Active Server Pages）、ＰＨＰ（ＰＨＰ：Hypertext Preprocessor）、Ｓｃａｌａ、Ｅｉｆｆｅｌ、Ｓｍａｌｌｔａｌｋ、Ｅｒｌａｎｇ、Ｒｕｂｙ、Ｆｌａｓｈ（登録商標）、Ｖｉｓｕａｌ Ｂａｓｉｃ（登録商標）、Ｌｕａ、ＭＡＴＬＡＢ、ＳＩＭＵＬＩＮＫ、及びＰｙｔｈｏｎ（登録商標）、を含む言語からのシンタックスを使用して書かれ得る。
【０１１２】
[0118]特許請求の範囲に記載されている要素はいずれも、その要素が「〜ための手段」という表現を使用して、又は方法請求項のケースでは、「〜するための動作」又は「〜するためのステップ」という表現を使用して、明確に記載されていない限り、米国特許法第１１２条（ｆ）の意味内のミーンズプラスファンクション要素であることは意図されない。
【図１】
2019053059.tif 000003
【図２】
2019053059.tif 000004
【図３】
2019053059.tif 000005
【図４】
2019053059.tif 000006
【図５】
2019053059.tif 000007
【図６】
2019053059.tif 000008
【図７】
2019053059.tif 000009
【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
エンジンから排出物測定システムに排ガスを供給する排ガス供給ライン内の圧力を測定するように構成された圧力センサと、ここで、前記排出物測定システムは、希釈トンネルと、サンプルプローブと、試料採取器とを含み、ここにおいて、前記排ガスは、前記希釈トンネルにおいて希釈ガスで希釈され、前記サンプルプローブは、前記希釈された排ガスの一部を前記試料採取器に供給するものであり、
排ガス供給ライン圧力における脈動の周波数、及び
前記排ガス供給ライン圧力における前記脈動の大きさ
のうちの少なくとも１つに基づいて前記エンジンがオンであるかオフであるかを決定するように構成されたエンジン状態モジュールと、
を備えるシステム。
【請求項２】
前記エンジン状態モジュールは、前記排ガス供給ライン圧力における前記脈動の前記周波数が所定の周波数以上であるとき、前記エンジンがオンであると決定するように構成される、請求項１に記載のシステム。
【請求項３】
前記エンジン状態モジュールは、前記排ガス供給ライン圧力における前記脈動の前記大きさが所定の値以上であるとき、前記エンジンがオンであると決定するように構成される、請求項１に記載のシステム。
【請求項４】
前記エンジン状態モジュールは、前記脈動のうちの１つの脈動の最大値と、同じ脈動か又は同じ脈動の直前又は直後の前記脈動のうちの１つのうちの一方の最小値との差分に基づいて、前記排ガス供給ライン圧力における前記脈動の前記大きさを決定するように構成される、請求項３に記載のシステム。
【請求項５】
前記エンジン状態モジュールは、前記排ガス供給ライン圧力における前記脈動の前記周波数及び前記排ガス供給ライン圧力における前記脈動の前記大きさの両方に基づいて、前記エンジンがオンであるかオフであるかを決定するように構成される、請求項１に記載のシステム。
【請求項６】
前記エンジン状態モジュールは、
所定の周波数以上の周波数を有する前記脈動のうちのＮ個を識別することと、
前記Ｎ個の脈動の前記大きさに基づいて、前記エンジンがオンであるかオフであるかを決定することと、ここにおいて、Ｎは整数である、
を行うように構成される、請求項５に記載のシステム。
【請求項７】
前記エンジン状態モジュールは、前記Ｎ個の脈動の前記大きさの平均値が所定の値以上であるとき、前記エンジンがオンであると決定するように構成され、ここにおいて、Ｎは１より大きい、請求項６に記載のシステム。
【請求項８】
前記圧力センサは、１キロヘルツ以上の周波数で前記排ガス供給ライン圧力を測定するように構成される、請求項１に記載のシステム。
【請求項９】
前記排ガスにおける排出物の濃度を測定するように構成された排出物濃度センサと、
前記測定された排出物濃度と、前記エンジンがオンであるかオフであるかとに基づいて、前記排ガスにおける前記排出物の質量を決定するように構成された排出物質量モジュールと
を更に備える、請求項１に記載のシステム。
【請求項１０】
前記エンジンがオンであるかオフであるかに基づいて、前記希釈トンネルから前記試料採取器への前記希釈された排ガスの流れを調節するように弁を制御するように構成された弁制御モジュールを更に備える、請求項１に記載のシステム。
【請求項１１】
エンジンから排出物測定システムに排ガスを供給する排ガス供給ライン内の圧力を測定することと、ここで、前記排出物測定システムは、希釈トンネルと、サンプルプローブと、試料採取器とを含み、ここにおいて、前記排ガスは、前記希釈トンネルにおいて希釈ガスで希釈され、前記サンプルプローブは、前記希釈された排ガスの一部を前記試料採取器に供給するものであり、
排ガス供給ライン圧力における脈動の周波数、及び
前記排ガス供給ライン圧力における前記脈動の大きさ
のうちの少なくとも１つに基づいて、前記エンジンがオンであるかオフであるかを決定することと、
を備える方法。
【請求項１２】
前記排ガス供給ライン圧力における前記脈動の前記周波数及び前記排ガス供給ライン圧力における前記脈動の前記大きさの両方に基づいて、前記エンジンがオンであるかオフであるかを決定することを更に備える、請求項１１に記載の方法。
【請求項１３】
前記脈動のうちの１つの脈動の最大値と、同じ脈動か又は同じ脈動の直前又は直後の脈動のうちの１つのうちの一方の最小値との差分に基づいて、前記排ガス供給ライン圧力における前記脈動の前記大きさを決定することを更に備える、請求項１２に記載の方法。
【請求項１４】
所定の周波数以上の周波数を有する前記脈動のうちのＮ個を識別することと、
前記Ｎ個の脈動の前記大きさに基づいて、前記エンジンがオンであるかオフであるかを決定することと、ここにおいて、Ｎは整数である、
ことを更に備える、請求項１２に記載の方法。
【請求項１５】
前記Ｎ個の脈動の前記大きさの平均値が所定の値以上であるとき、前記エンジンがオンであると決定することを更に備え、ここにおいて、Ｎは１より大きい、請求項１４に記載の方法。
【手続補正２】
【補正対象書類名】明細書
【補正対象項目名】０１１２
【補正方法】変更
【補正の内容】
【０１１２】
[0118]特許請求の範囲に記載されている要素はいずれも、その要素が「〜ための手段」という表現を使用して、又は方法請求項のケースでは、「〜するための動作」又は「〜するためのステップ」という表現を使用して、明確に記載されていない限り、米国特許法第１１２条（ｆ）の意味内のミーンズプラスファンクション要素であることは意図されない。
以下に、出願当初の特許請求の範囲に記載の事項を、そのまま、付記しておく。
［１］  エンジンから排出物測定システムに排ガスを供給する排ガス供給ライン内の圧力を測定するように構成された圧力センサと、ここで、前記排出物測定システムは、希釈トンネルと、サンプルプローブと、試料採取器とを含み、ここにおいて、前記排ガスは、前記希釈トンネルにおいて希釈ガスで希釈され、前記サンプルプローブは、前記希釈された排ガスの一部を前記試料採取器に供給するものであり、
排ガス供給ライン圧力における脈動の周波数、及び
前記排ガス供給ライン圧力における前記脈動の大きさ
のうちの少なくとも１つに基づいて前記エンジンがオンであるかオフであるかを決定するように構成されたエンジン状態モジュールと、
を備えるシステム。
［２］  前記エンジン状態モジュールは、前記排ガス供給ライン圧力における前記脈動の前記周波数が所定の周波数以上であるとき、前記エンジンがオンであると決定するように構成される、［１］に記載のシステム。
［３］  前記エンジン状態モジュールは、前記排ガス供給ライン圧力における前記脈動の前記大きさが所定の値以上であるとき、前記エンジンがオンであると決定するように構成される、［１］に記載のシステム。
［４］  前記エンジン状態モジュールは、前記脈動のうちの１つの脈動の最大値と、同じ脈動か又は同じ脈動の直前又は直後の前記脈動のうちの１つのうちの一方の最小値との差分に基づいて、前記排ガス供給ライン圧力における前記脈動の前記大きさを決定するように構成される、［３］に記載のシステム。
［５］  前記エンジン状態モジュールは、前記排ガス供給ライン圧力における前記脈動の前記周波数及び前記排ガス供給ライン圧力における前記脈動の前記大きさの両方に基づいて、前記エンジンがオンであるかオフであるかを決定するように構成される、［１］に記載のシステム。
［６］  前記エンジン状態モジュールは、
所定の周波数以上の周波数を有する前記脈動のうちのＮ個を識別することと、
前記Ｎ個の脈動の前記大きさに基づいて、前記エンジンがオンであるかオフであるかを決定することと、ここにおいて、Ｎは整数である、
を行うように構成される、［５］に記載のシステム。
［７］  前記エンジン状態モジュールは、前記Ｎ個の脈動の前記大きさの平均値が所定の値以上であるとき、前記エンジンがオンであると決定するように構成され、ここにおいて、Ｎは１より大きい、［６］に記載のシステム。
［８］  前記圧力センサは、１キロヘルツ以上の周波数で前記排ガス供給ライン圧力を測定するように構成される、［１］に記載のシステム。
［９］  前記排ガスにおける排出物の濃度を測定するように構成された排出物濃度センサと、
前記測定された排出物濃度と、前記エンジンがオンであるかオフであるかとに基づいて、前記排ガスにおける前記排出物の質量を決定するように構成された排出物質量モジュールと
を更に備える、［１］に記載のシステム。
［１０］  前記エンジンがオンであるかオフであるかに基づいて、前記希釈トンネルから前記試料採取器への前記希釈排ガスの流れを調節するように弁を制御するように構成された弁制御モジュールを更に備える、［１］に記載のシステム。
［１１］  エンジンから排出物測定システムに排ガスを供給する排ガス供給ライン内の圧力を測定することと、ここで、前記排出物測定システムは、希釈トンネルと、サンプルプローブと、試料採取器とを含み、ここにおいて、前記排ガスは、前記希釈トンネルにおいて希釈ガスで希釈され、前記サンプルプローブは、前記希釈された排ガスの一部を前記試料採取器に供給するものであり、
排ガス供給ライン圧力における脈動の周波数、及び
前記排ガス供給ライン圧力における前記脈動の大きさ
のうちの少なくとも１つに基づいて、前記エンジンがオンであるかオフであるかを決定することと、
を備える方法。
［１２］  前記排ガス供給ライン圧力における前記脈動の前記周波数が所定の周波数以上であるとき、前記エンジンがオンであると決定することを更に備える、［１１］に記載の方法。
［１３］  前記排ガス供給ライン圧力における前記脈動の前記大きさが所定の値以上であるとき、前記エンジンがオンであると決定することを更に備える、［１１］に記載の方法。
［１４］  前記脈動のうちの１つの脈動の最大値と、同じ脈動か又は同じ脈動の直前又は直後の脈動のうちの１つのうちの一方の最小値との差分に基づいて、前記排ガス供給ライン圧力における前記脈動の前記大きさを決定することを更に備える、［１３］に記載の方法。
［１５］  前記排ガス供給ライン圧力における前記脈動の前記周波数及び前記排ガス供給ライン圧力における前記脈動の前記大きさの両方に基づいて、前記エンジンがオンであるかオフであるかを決定することを更に備える、［１１］に記載の方法。
［１６］  所定の周波数以上の周波数を有する前記脈動のうちのＮ個を識別することと、
前記Ｎ個の脈動の前記大きさに基づいて、前記エンジンがオンであるかオフであるかを決定することと、ここにおいて、Ｎは整数である、
ことを更に備える、［１５］に記載の方法。
［１７］  前記Ｎ個の脈動の前記大きさの平均値が所定の値以上であるとき、前記エンジンがオンであると決定することを更に備え、ここにおいて、Ｎは１より大きい、［１６］に記載の方法。
［１８］  １キロヘルツ以上の周波数で前記排ガス供給ライン圧力を測定することを更に備える、［１１］に記載の方法。
［１９］  前記排ガスにおける排出物の濃度を測定することと、
前記測定された排出物濃度と、前記エンジンがオンであるかオフであるかとに基づいて、前記排ガスにおける前記排出物の質量を決定することと
ことを更に備える、［１１］に記載の方法。
［２０］  前記エンジンがオンであるかオフであるかに基づいて、前記希釈トンネルから前記試料採取器への前記希釈排ガスの流れを調節するように弁を制御することを更に備える、［１１］に記載の方法。
【外国語明細書】
2019053059000001.pdf